(57)【要約】【課題】屋内空間部を所望の範囲に沿って複数に区画することができ、且つその収納等が容易でコストのかからない屋内空間部用の区画体、及び該屋内空間部用の区画体の吊り張り方法を提供することを課題とする。【解決手段】屋内空間部を複数に区画することを目的とする屋内空間部用の区画体であって、前記区画体が少なくとも対向する側面間に沿って架け渡す複数本の主区画用のロープ体と、該主区画用のロープ体の区画する範囲に取り付け空間部の一方向を間仕切りする主吊張体と、該主吊張体と交差する方向に沿って前記任意の主区画用のロープ体間、又は前記主区画用のロープ体と交差する方向に沿って架け渡す従区画用の手段を介して取り付け空間部の交差する他方向を間仕切りする従吊張体とから構成されていることである。【選択図】図１
2020093028.tif 000002
【特許請求の範囲】
【請求項１】
屋内空間部を複数に区画することを目的とする屋内空間部用の区画体であって、前記区画体が少なくとも対向する側面間に沿って架け渡す複数本の主区画用のロープ体と、該各主区画用のロープ体の区画する範囲に取り付け空間部の一方向を間仕切りする主吊張体と、該主吊張体と交差する方向に沿って前記任意の主区画用のロープ体間、又は前記主区画用のロープ体と交差する方向に沿って架け渡す従区画用の手段を介して取り付け空間部の交差する他方向を間仕切りする従吊張体とから構成されていることを特徴とする屋内空間部用の区画体。
【請求項２】
前記主区画用のロープ体が従区画用の手段を介して予め複数本並設されていることを特徴とする請求項１に記載されている屋内空間部用の区画体。
【請求項３】
屋内空間部を所望の方向に複数に区画する屋内空間部用の区画体を用いた吊り張り方法であって、少なくとも一方向の対向する側面間に沿って主区画用のロープ体を区画する範囲に沿って複数本架け渡し、該各主区画用のロープ体に沿って区画する範囲に主吊張体をそれぞれ取り付けて空間部の一方向を間仕切りした後、前記主吊張体と交差する方向に沿って複数枚の従吊張体を前記任意の主区画用のロープ体間、又は前記主区画用のロープ体と交差する側面間に架け渡した従区画用の手段を介して取り付け空間部の交差する他方向を間仕切りすることで、屋内空間部を複数箇所に区画することを特徴とする屋内空間部用の区画体の吊り張り方法。
【発明の詳細な説明】
【技術分野】
【０００１】本願発明は、主に大雨、地震、及び台風等の災害時に避難所として使用する小学校、中学校、高校の体育館、又は市町村等の建設した多目的ホール等の大きな空間部を有する施設（以下、屋内空間部と記載）において、避難した人のプライベートを確保するために、屋内空間部を任意のスペースで複数に区画することのできる屋内空間部用の区画体、及び屋内空間部用の区画体の吊り張り方法に関する。
【背景技術】
【０００２】従来、災害時の避難所として使用する屋内空間部では、避難した人々は毛布等の寝具を借りて、単に床面を使用して一人分の横になるスペースを確保し、その部分で仮眠を取ったりして時間を過ごしている。【０００３】しかし災害時の被害が大きい場合は、前記屋内空間部に数日間又は１か月以上に渡って避難しなければならないために、屋内空間部の前記スペース部分に避難した人々のプライベートを保護するための間仕切りが必要である。特に、女性、乳幼児のいる家庭、及び持病のある人たちは、他の避難者や報道機関等の視線から遮断された空間部を必要とする。【０００４】この際、間仕切りする壁を形成するための材料として提案されているのが段ボール材であり、複数枚の段ボール板又は段ボール箱を利用して、約２メートル以下の高さを有する壁を作成して複数の間仕切りされた区画を屋内空間部に形成する方法が多くの避難所で用いられている。【０００５】この際、段ボール板はレール等を用いて立設することで区画部分の四辺の壁として使用し、段ボール箱を簡易用のベッドとして使用する方法等である。
【発明が解決しようとする課題】
【０００６】しかしながら上記従来の段ボールを用いて屋内空間部を間仕切りして複数に区画する場合は、設置作業の容易性はあるものの、段ボールは屋内空間部の空気の循環が遮られ室内の温度の上昇、匂いの充満の原因となる恐れがあり、特に多くの避難者を収容する屋内空間部では、前記理由により避難生活に支障をきたす場合が多々発生するという欠点があった。
【０００７】また、段ボール材は予め一定の大きさに形成されているために、屋内空間部内を複数に間仕切り区画する場合には、各区画スペースは予め設定された一定のスペースを有し、避難者の人数に応じての間仕切りした区画の調整、及び避難者の状況に応じた間仕切りした区画の調整ができないという欠点があった。
【０００８】また、段ボール材は積層すると暈を有するために、収納時の保管に多くのスペースを必要とし、また段ボール材の特質（水分を含み易い）上、長期的な倉庫等の保管に適さないという欠点があった。
【０００９】また、段ボール材は屋内空間部で使用（短期、長期を問わず）した後は、廃棄しなければならず、その処理作業に時間とコストがかかるという問題点があった。
【００１０】さらに、段ボール材は長期的に使用すると、水分の吸収や臭いの付着により取り換えの必要があり、このため上記収納する量の増加、廃棄量の増加が発生するという大きな問題点があった。
【００１１】そこで、本願発明は、屋内空間部を自在の長さ、幅で間仕切りして複数の区画が形成でき、屋内空間部の空気の循環をスムーズにでき、しかもその収納及び処理作業が容易な屋内空間部用の区画体、及び該屋内空間部用の区画体の吊り張り方法を提供することを課題とする。
【課題を解決するための手段】
【００１２】本願発明の上記課題を解決する手段としての屋内空間部用の区画体は、請求項１に記載のように、屋内空間部を複数に区画することを目的とする屋内空間部用の区画体であって、前記区画体が少なくとも対向する側面側に沿って架け渡す複数本の主区画用のロープ体と、該各主区画用のロープ体の区画する範囲に取り付け空間部の一方向を間仕切りする主吊張体と、該主吊張体と交差する方向に沿って前記任意の主区画用のロープ体間、又は前記主区画用のロープ体と交差する方向に沿って架け渡す従区画用の手段を介して取り付け空間部の交差する他方向を間仕切りする従吊張体とから構成されていることを特徴とする。
【００１３】また、上記課題を解決する手段としての屋内空間部用の区画体は、請求項２に記載のように、請求項１において、前記主区画用のロープ体が従区画用の手段を介して予め複数本並設されていることを特徴とする。
【００１４】さらに、本願発明の上記課題を解決する手段としての屋内空間部用の区画体の吊り張り方法は、請求項３に記載のように、屋内空間部を所望の方向に複数に区画する屋内空間部用の区画体を用いた吊り張り方法であって、少なくとも一方向の対向する側面側間に沿って主区画用のロープ体を区画する範囲に沿って複数本架け渡し、該各主区画用のロープ体に沿って区画する範囲に主吊張体をそれぞれ取り付けて空間部の一方向を間仕切りした後、前記主吊張体と交差する方向に沿って複数枚の従吊張体を前記任意の主区画用のロープ体間、又は前記主区画用のロープ体と交差する方向に架け渡した従区画用の手段を介して取り付け空間部の交差する他方向を間仕切りすることで、屋内空間部を複数個所に区画することを特徴とする。
【発明の作用効果】
【００１５】本願発明の屋内空間部用の区画体、及び該屋内空間部用の区画体の吊り張り方法の作用効果について説明する。
【００１６】本願発明の請求項１に記載の屋内空間部用の区画体は、屋内空間部の少なくとも対向する側面間の区画する一方向の範囲に沿って所望の高さを有してそれぞれ水平方向に架け渡す複数本の主区画用のロープ体と、前記架け渡された主区画用のロープ体の区画する範囲に取り付け該主区画用のロープ体の下方側を壁として空間部の一方向を間仕切りする主吊張体と、前記主吊張体と交差する方向に沿って前記隣り合う主区画用のロープ体間、又は任意の主区画用のロープ体間、或いは前記主区画用のロープ体と交差する方向に沿って架け渡す従区画用の手段を介して複数個所に取り付け前記区画用のロープ体の交差する他方向の下方側を壁として間仕切りする従吊張体とから構成されている。
【００１７】前記主区画用のロープ体は屋内空間部へ架け渡した後、テンションをかけた状態とするために、大空間部の場合は、ロープ体の中間部分を天井面より支持ロープ等で中間支持する。
【００１８】前記主区画用のロープ体に取り付ける主吊張体の長さ及び前記主区画用のロープ体の任意の主区画用のロープ体との間の距離、又は前記従区画用の手段を介して従吊張体間を調整することで、間仕切りする区画の数を自在に調整でき、避難者の増減に対応することを可能とすることができる。
【００１９】前記主吊張体は前記主区画用のロープ体の所望の範囲に吊り下げることで、前記主区画用のロープ体の下方側を壁として空間部の一方向を間仕切りできる。このため、前記主吊張体をネット体又はシート体、又はネット体とシート体とを組み合わせて形成することで、目隠し部分の高さ調整、空気の流通の調整、及び区画幅の調整を自在に行うことができる。
【００２０】前記従吊張体は、隣り合う前記主区画用のロープ体間、又は任意の前記主区画用のロープ体間、或いは前記従区画用の手段を介して下方側を壁として空間部の交差する他方向を間仕切りすべく吊り下げることで、前記主吊張体とで複数個所に区画を形成することができる。前記従吊張体も前記と同様にネット体又はシート体をそれぞれ組み合わせて形成することで、目隠し部分の高さ、空気の流通等を自在調整することができる。
【００２１】このように、本願請求書１に記載の屋内空間部用の区画体は、あらゆる屋内空間部を所望の範囲に沿って自在に間仕切りして複数に区画することができる。
【００２２】また、屋内空間部用の区画体がネット体又はシート体を用いた主吊張体、従吊張体、及び主区画用のロープ体で構成されているために、主吊張体等は細かく折り畳み、又主区画用のロープ体は巻き取ることで、小スペースで収納することができる。
【００２３】また、前記主吊張体等は使用後も段ボールのように廃棄することなく再度使用できるので、コストの削減を図ることができる利点がある。
【００２４】さらに、前記主吊張体及び従吊張体は取り換え可能であるとともに、洗濯可能であるために、長期的な使用にも自在に対応することができる。
【００２５】次に、本願請求項２に記載の屋内空間部用の区画体は、前記本願請求項１において、前記複数本の主区画用のロープ体を従区画用の手段を介して予め一体的に並設することで、梯子状に形成された区画体を形成する。
【００２６】次に、前記区画体の主区画用のロープ体の両端側を同時に屋内空間部の対向する側面に取り付けることで、同時に複数本の主区画用のロープ体を架け渡すことができ、且つ容易に屋内空間部に間仕切り用の区画を形成することができる。
【００２７】また、上記区画体を同時に複数個、又は屋内空間部全体を一つの前記区画体で形成することで、容易に間仕切り用の区画を容易に複数個形成することができる。
【００２８】このように、本願請求項２に記載の屋内空間部用の区画体は、その取り付けが容易で、その作業時間を短縮することができ、且つ同時に複数個の間仕切り用の区画を形成することができる。
【００２９】次に、本願請求項３に記載の屋内空間部用の区画体の吊り張り方法は、先ず少なくとも一方の側面間に沿って空間部の一方向の区画する範囲に複数本の主区画用のロープ体を所望の高さ（他人の視線を遮断できる高さ）、及び所望の幅を有して架け渡した後、前記主区画用のロープ体の下方側を間仕切りして壁をして区画する範囲に主吊張体を直接又は間接的に取り付けるとともに、前記主吊張体と交差する方向で、前記隣り合う又は任意の主区画用のロープ間、又は前記主区画用のロープ体と交差する方向に沿って架け渡した従区画用の手段を介して直接又は間接的に従吊張体を取り付ける。
【００３０】前記主吊張体を取り付けた前記主区画用のロープ体の下方側は、前記主区画用のロープ体の架け渡した一方向に沿って壁として空間部を間仕切りでき、また前記従吊張体を取り付けた前記隣合う又は任意の主区画用のロープ体間、又は前記従区画用の手段を介して、前記主吊張体と略直角状に交差する他方向に沿って壁として空間部を間仕切りできる。
【００３１】これにより、前記主吊張体と前記従吊張体とで四角状の間仕切りされた区画を複数個形成することができる。
【００３２】この際、前記主区画用のロープ体は一方向に沿って区画する幅で水平方向に架け渡すことで、避難者の数、一区画の人数に応じて自在に幅調整を行うことができる。
【００３３】また、前記従吊張体を前記主吊張体と交差する位置で、且つ避難者の数に応じた位置を調整することで、面積の相違する複数個の区画を自在に形成することができる。
【００３４】このように、本願の請求項２に記載の屋内空間部用の区画体の吊り張り方法は、その取り扱いが容易であり、しかも区画する範囲を自在に調整できるという優れた効果を得ることができる。
【００３５】また、その区画する作業を容易に行うことができ、安全性に優れた屋内空間部の間仕切りされた区画を形成することができる。
【発明を実施するための最良の形態】
【００３６】本願発明の屋内空間部用の区画体及び該屋内空間部用の区画体の吊り張り方法について図面に沿って説明する。【００３７】図１は本願発明の屋内空間部用の区画体を示す概略説明平面図であり、図２は区画用のロープ体に取り付けられた主吊張体を示す概略説明側面図であり、図３及び図４は、区画用のロープ体に取り付けられた主吊張体の他実施例を示す概略説明側面図であり、図５は他方の区画用のロープ体に取り付けられた従吊張体を示す概略説明正面図であり、図６及び図７は、区画用のロープ体の架け渡しの他実施例を示す概略説明側面図であり、図８は区画用のロープ体の側面への取り付け状態を示す概略説明側面図であり、図９及び図１０は区画用のロープ体の中間部分の支持を示す概略説明側面図であり、図１１は区画用のロープ体の架け渡しの他実施例を示す概略説明平面図であり、図１２は本願発明の屋内空間部用の区画体の他実施例を示す概略説明平面図であり、図１３は区画用のロープ体に取り付けられた従吊張体の概略説明正面図であり、図１４、図１５は屋内空間部用の区画体の他実施例を示す概略説明平面図であり、図１６は屋内空間部用の区画体の他実施例を示す概略説明平面図であり、図１７及び図１８は図１６の従区画用の手段の他実施例を示す概略説明平面図であり、図１９、図２０、及び図２１は従区画用の手段の取り付けを示す概略説明平面図であり、図２２は主区画用のロープ体に取り付けられた揺れ防止手段を示す概略説明平面図である。【００３８】図２３、図２４は本願発明の屋内空間部用の区画体の吊り張り方法のフローチャートである。【００３９】本願発明の屋内空間部用の区画体１は、屋内空間部の対向する側面間に架け渡す複数本の主区画用のロープ体２と、該区画用のロープ体２に取り付ける主吊張体３と、任意の前記区画用のロープ体２間に取り付ける、又は従区画用の手段を介して取り付ける従吊張体４とから構成されている。【００４０】前記主区画用のロープ体２は、対向する側面間の長さに形成されたロープ本体５と、該ロープ本体５の両端側にはそれぞれ長さ調整用のターンバックル６Ａを介して取り付けられた側面固定具６と、前記ロープ本体５に移動自在に挿通され、所望の位置で固定可能で前記主吊張体３を取り付けるための移動連結具６Ｂとから形成されている。【００４１】前記調整用のターンバックル６Ａを設けることは必須の条件ではなく、前記側面固定具６部分に前記ロープ本体５を巻き取るドラム（図示せず）を取り付けることでロープ本体５の長さ調整することも可能である。【００４２】前記固定具６は、対向する側面に沿ってそれぞれ取り付けられる固定用のロープ体１０に固定することで、対向する側面間の空間部の水平方向に等間隔で複数本の主区画用のロープ体２を架け渡すことができる。【００４３】このため、前記固定具６の前記固定用のロープ体１０への固定位置を調整することで、前記架け渡した隣合う主区画用のロープ体２間の距離を自在に調整することができる。【００４４】尚、前記主区画用のロープ体２の両端側の固定具６による固定は、前記固定用のロープ体１０に連結する構成に限定されるものでなく、側面に取り付け用のレール（図示せず）を取り付け、該レールに区画用のロープ体２の側面取付具６を取り付けることも可能であり、また、側面取付具６を直接側面、又は柱部分を利用して取り付けることも可能である。この場合は、屋内空間部の二階部分を利用して取り付けることで、取り付けの高さ方向の距離を調整することができる。【００４５】さらに、前記主区画用のロープ体２の空間部への架け渡しは側面側への固定に限定されるものでなく、側面側に取り付けられた滑車２１を介してウインチ（図示せず）で移動すべく構成することも可能である。この場合は、主区画用のロープ体２を床側に移動した後、主吊張体３を取り付け、その後前記主区画用のロープ体２をウインチで緊張することで、空間部に主区画用のロープ体２を架け渡すことができる。【００４６】このため、前記主区画用のロープ体２の架け渡し作業が容易に、且つ安全に行えることができる。【００４７】前記主区画用のロープ体２の架け渡す距離が長い場合は、天井より中間用のロープ体２２で中間部分を吊り下げることで、前記主区画用のロープ体２を水平状態に維持することができる。【００４８】また、前記中間用のロープ体２２の代わりに、屋内空間部の球技用のポール２３を取り付け、前記主区画用のロープ体２の中間部分を下側より支持することで、水平状態を維持することも可能である。【００４９】前記主区画用のロープ体２は２本を接するように架け渡すことで、主吊張体３を前記各主区画用のロープ体２に移動自在に取り付け、前記主吊張体３を左右方向に開閉自在に取り付けることも可能である。【００５０】前記主区画用のロープ体１に移動連結具６Ｂを設けることで、該移動連結具６Ｂを介して間接的に主吊張体３を取り付けたが、本願発明において前記移動連結具６Ｂを設けることは必須の構成ではなく、前記主吊張体３に紐体等の連結具（図示せず）を設け、該連結具で前記主区画用のロープ体２に直接主吊張体３を取り付けることも可能である。【００５１】また、緊急の場合は、主吊張体３を二つ折りの状態で主区画用のロープ体２に掛けることも可能である。【００５２】前記主吊張体３は、シート体、ネット体とシート体とで構成され、屋内空間部における空気の循環を遮ることがない。特に、上部側を目の粗いネット体で形成し、下方側を目の細かなシート体で形成することで、目隠し部分と空気の循環とを適切に吊り張りできる。【００５３】尚、前記上部側を目の粗いネット体で形成することは必須の構成でなく、上部側のネット体を開放することも可能である。【００５４】また、前記主吊張体３の上端側には前記主区画用のロープ体２の移動連結具６Ｂに連結するための主連結体７としての紐、又はフック状の金具が設けられ、該主連結体７を連結する位置を調整することで区画部分の調整を自在に行うことができる。【００５５】また、前記主吊張体３の形状は、前記主区画用のロープ体２に沿って区画部分全体を一枚で形成、又は区画毎に複数枚で形成することもできる。【００５６】前記従吊張体４は、シート体、ネット体又はシート体とで構成され、屋内空間部における空気の循環を遮ることがない。特に、隣り合う区画部分との間仕切りであるために、目の細かなシート体で形成することが望ましい。【００５７】また、前記従吊張体４も前記主吊張体３と同様に、前記主区画用のロープ体２と交差する側面間に従区画用の手段としての従区画用のロープ体２Ａを架け渡し、該従区画用のロープ体２Ａに取り付けることで吊り張りする。【００５８】尚、上記従吊張体４の取り付けは、前記従区画用のロープ体２Ａを用いる場合に限定されるものでなく、前記主吊張体３の取り付けられた任意の主区画用のロープ体２間に直接取り付けることも可能である。【００５９】この場合、隣合う前記主区画用のロープ体２に従吊張体４を取り付けることを基本的な区画とし、その区画を利用する人数に応じて、前記主区画用のロープ体２の隣接する３本間、４本間等に前記従吊張体４を取り付けることで、基本的な区画に対して２倍、３倍等その区画する面積を広げることができる。【００６０】また、従区画用の手段として、棒状体２Ｂを用いて隣接する主区画用のロープ体２間に取り付け、該棒状体２Ｂに従吊張体４を取り付けることも可能である。【００６１】この場合、主区画用のロープ体２間（幅）を前記棒状体２Ｂで維持することができ、区画した面積の維持を図ることができる。【００６２】また、前記棒状体２Ｂの一端側のみ主区画用のロープ体２に回動自在に取り付けることで、該棒状体２Ｂを左右どちらの並行する主区画用のロープ体２にも他端側を連結することができ、主区画用のロープ体２と交差する方向の区画間を自在に変更することができる。【００６３】また、前記棒状体２Ｂを床面側に回動し、床面に固定することで、床面側からの主区画用のロープ体２の高さ方向の支持を行うことができ、天井側に回動し、中間用のロープ体２２と連結することで、主区画用のロープ体２の中間部分の支持を行うことができる。【００６４】さらに、近接して２本の棒状体２Ｂを取り付けることで、同時に左右両端側の並行する主区画用のロープ体２と連結し、幅の広い区画を形成することができる。【００６５】さらに、前記棒状体２Ｂを連結紐２Ｃを介して間接的に取り付けることで、主区画用のロープ体２の架け渡し位置が高い場合であっても、適切な位置に従吊張体４を吊り張りすることができる。【００６６】また、前記棒状体２Ｂを長さ調整可能に構成することで、隣接する主区画用のロープ体２間の距離を自在に調整することも可能である。【００６７】また、前記従吊張体４の両端側には、前記従区画用のロープ体２Ａ又は前記主区画用のロープ体２の連結具６Ｂへの取り付け用の従連結体８としての紐、フック状の金具が設けられている。【００６８】前記従吊張体４の前記主区画用のロープ体２への取り付けも前記主吊張体３の取り付けと同様に前記連結具６Ｂを用いて間接的に取り付けることも、また前記従連結体８で直接取り付けることも可能である。【００６９】さらに、前記従区画用の手段を用いて区画を形成する場合は、主区画用のロープ体２と従区画用の手段とで矩形状に形成したが、区画の形状は矩形状に限定されるものでなく、略三角形状であっても、多角形状であってもよく、要は避難した人のプライバシー保護が適切にできる形状であれば、その形状は特に限定されるものでない。【００７０】前記主区画用のロープ体の架け渡し方向と交差する方向には、揺れ防止手段としての防止ロープ体３０が取り付けられ、地震時の主区画用のロープ体２の横揺れを防止することができる。【００７１】本願発明の屋内空間部の区画体１は上記のように構成され、次に、屋内空間部を前記屋内空間部の区画体１で複数に区画する場合について説明する。【００７２】先ず、対向する側面のそれぞれの側面の上部側（間仕切りする高さに対応する位置）に固定用のロープ体１０を取り付ける。前記固定用のロープ体１０の側面への取り付けは、その両端側を前記側面の両端側に固定するとともに、複数箇所でその前記固定用のロープ体１０の中間部分を側面にそれぞれ固定することで、固定用のロープ体１０の側面への取り付け強度を強固にする。【００７３】また、前記固定用のロープ体１０の表面に目盛り（図示せず）を設けることで、一方向の区画する幅を決定する際の目安とすることができる。【００７４】次に、前記固定用のロープ体１０の目盛りを利用して区画する範囲に該当する箇所に側面取付具６を介して主区画用のロープ体２取り付けることで、屋内空間部の一方向に沿って水平に複数本の主区画用のロープ体２を架け渡す。【００７５】この際、前記側面連結具６の連結位置を調整することで、隣り合う前記主区画用のロープ体２の幅の調整を行うことができる。【００７６】前記固定用のロープ体１０を用いない場合は、側面取付具６を直接側面（側面に予め固定状態で取り付けられている連結受け具（図示せず））に取り付けるために容易に側面取付具６を取り付けできる。【００７７】その後、前記主区画用のロープ体２の架け渡した方向に沿って区画する範囲に主吊張体３を取り付ける。【００７８】前記主吊張体３の前記主区画用のロープ体２への取り付けは、前記主吊張体３の上端辺に設けられた主連結体７を用いて前記主区画用のロープ体２の移動連結具６Ｂに連結した後、一端側の前記連結具６Ｂのみを前記主区画用のロープ体２に固定することで前記主吊張体３を開閉自在に前記主区画用のロープ体２に取り付けできる。【００７９】前記連結具６Ｂは前記主区画用のロープ体２に移動自在に取り付ける部分と、前記主区画用のロープ体２に固定して取り付ける部分とを設け、区画部分の固定する部分と開閉移動する部分とに分けることができる。【００８０】また、前記主吊張体３の下端側に別体の錘体（図示せず）を取り付けることで、前記主吊張体３を適切に吊り張りすることができる。【００８１】前記主吊張体３の下端側に錘体を取り付けることは必須の構成要件でなく、前記主吊張体３の下端側を床面側に余った部分を垂れた状態として吊り張りすることも可能である。【００８２】次に、前記主区画用のロープ体２と交差する方向に沿って従区画用のロープ体２Ａを前記と同様に交差する方向の側面に固定状態で取り付けられた固定用のロープ体１０に取り付けることで、複数本の従区画用のロープ体２Ａを架け渡し、前記主区画用のロープ体２と従区画用のロープ体２Ａとで、屋内空間部に複数の矩形状の区画を形成する。【００８３】その後、前記主区画用のロープ体２と前記主区画用のロープ体２Ａとが交差する部分の前記主吊張体３で囲まれた部分に従吊張体４を取り付けることで、前記主吊張体３と前記従吊張体４とで間仕切りされた矩形状の区画を形成することができる。【００８４】前記従吊張体４の前記従区画用のロープ体２Ａへの取り付けは、前記従吊張体４の上端側の従連結体８を前記従区画用のロープ体２Ａの連結具６Ｂに連結し、該連結具６Ｂを前記従区画用のロープ体２Ａに固定することで取り付ける。【００８５】前記従区画用のロープ体２Ａの前記固定用のロープ体１０への取り付ける位置を調整することで、交差する方向の幅を自在に調整することができる。【００８６】尚、一方向のみの前記主区画用のロープ体２の隣接する前記主区画用のロープ体２を利用して従吊張体４を取り付けることも可能である。【００８７】即ち、隣接する２本の前記主区画用のロープ体２の間、隣接する３本の前記主区画用のロープ体２の間、又は隣接する３本の前記主区画用のロープ体２の間に渡って従吊張体４を取り付けることで、面積の相違する複数の区画を自在に形成することができる。【００８８】この場合も同様に前記主区画用のロープ体２の連結具６Ｂに前記従吊張体４の従連結具８を連結した後、前記連結具６Ｂを前記主区画用のロープ体２に固定することで従吊張体４を取り付けることができる。【００８９】このように、隣接する主区画用のロープ体２間の幅調整、及び／又は隣接する従区画用のロープ体２Ａ間の幅調整、又は従吊張体４の主区画用のロープ体２への取り付け位置を調整することで、避難者の人数に応じた面積を有する区画を自在に形成することができ、避難者の状況に応じた数の区画を自在に形成することができる。【００９０】しかも、その形成作業が容易であり、少ない人数で各区画を形成することができるので、作業効率を格段に向上することができる。【００９１】また、本願発明の屋内空間部の区画体１は、少なくとも主区画用のロープ体２、及びネット体又はシート体で構成された主吊張体２、従吊張体４とで構成することができるので、折り畳んで収納することができ、不使用時の収納（予めのストック）にダンボール材のような多くのスペースを必要としない利点がある。【００９２】また、上記構成より、屋内空間部で使用した後、従来の段ボール材のように廃棄することなく、再度使用することができ、災害時の防災対策としてのコストの削減を図ることができる。【００９３】尚、上記実施例では、屋内空間部における間仕切り用区画のみについて説明したが、近年避難所として使用する屋内空間部の天井部分は、落下防止用の防護用ネットが設けられている場合が多く、この場合は、前記防護用ネットを天井面に吊り張りするために天井面に架け渡す天井用のロープ体を利用（天井用のロープ体より床面側に吊り下げ用ロープ体を連結し、該吊り下げ用ロープ体を利用）して、主区画用のロープ体２の側面取付具６を取り付けることも可能であり、また、中間用のロープ体２２を天井面の防護用ネットの連結部分に取り付けることも可能である。【００９４】このように、屋内空間部用の区画体１を落下防止用の防護用ネットと一体的に取り付けることも可能である。【００９５】尚、上記実施例では、屋内空間部用の区画体１をそれぞれ単独の主区画用のロープ体２で構成したが、本願発明において、屋内空間部用の区画体１の構成はこれに限定されるものでなく、例えば、予め２本の主区画用のロープ体２を従区画用の手段としての棒状体２Ｂで連結し梯子状に形成することで、区画の形成された区画体１を側面に同時に取り付けすることも可能である。【００９６】この場合、前記主区画用のロープ体２の本数は２本に限定されるものでなく、３本、５本でもよく、屋内空間部用の形状に応じて、又は保管状況（保管スペースの大小等）に応じて所望の本数を並設して形成することができる。【００９７】また、前記棒状体２Ｂの両端側を主区画用のロープ体２に沿って移動自在に取り付けることで、主区画用のロープ体２と交差する方向での区画を自在に調整することができるとともに、保管時は主区画用のロープ体２の一端側に前記複数本の棒状体２Ｂを一体的に移動し主区画用のロープ体２を巻き付けることで、保管スペースを最小に抑えることがでる。【００９８】また、前記屋内空間部用の区画体１を梯子状に形成することで、側面側の主区画用のロープ体２の連結位置を主区画用のロープ体２間の幅より広げ主区画用のロープ体２を緊張状態で架け渡すことができる。【００９９】さらに、前記梯子状に形成した屋内空間部用の区画体１を複数個屋内空間部に並設して取り付けることで、あらゆる屋内空間部を複数に間仕切りした空間部を区画することができる。【０１００】この際、側面側の主区画用のロープ体２に揺れ防止手段としての揺れ防止用のロープ体３０を側面との間（一端側を側面に固定し、他端側を主区画用のロープ体２の中央部分に連結して）取り付けることで、主区画用のロープ体２の左右方向への揺れを防止することができ、複数の間仕切りした区画を適切に維持することができる。【０１０１】このため、長期間安定した状態で屋内空間部用の区画体１で間仕切りした空間部を使用することができる。
【図面の簡単な説明】
【０１０２】
【図１】本願発明の屋内空間部用の区画体を示す概略説明平面図
【図２】区画用のロープ体に取り付けられた主吊張体を示す概略説明側面図
【図３】区画用のロープ体に取り付けられた主吊張体の他実施例を示す概略説明側面図
【図４】区画用のロープ体に取り付けられた主吊張体の他実施例を示す概略説明側面図
【図５】区画用のロープ体に取り付けられた従吊張体を示す概略説明正面図
【図６】区画用のロープ体の架け渡しの他実施例を示す概略説明側面図
【図７】区画用のロープ体の架け渡しの他実施例を示す概略説明側面図
【図８】区画用のロープ体の側面への取り付け状態を示す概略説明側面図
【図９】区画用のロープ体の中間部分の支持を示す概略説明側面図
【図１０】区画用のロープ体の中間部分の支持を示す概略説明側面図
【図１１】区画用のロープ体の架け渡しの他実施例を示す概略説明側面図
【図１２】本願発明の屋内空間部用の区画体の他実施例を示す概略説明平面図
【図１３】区画用のロープ体に取り付けられた従吊張体の他実施例を示す概略説明正面図
【図１４】本願発明の屋内空間部用の区画体の他実施例を示す概略説明平面図
【図１５】本願発明の屋内空間部用の区画体の他実施例を示す概略説明平面図
【図１６】本願発明の屋内空間部用の区画体の他実施例を示す概略説明平面図
【図１７】図１６の従区画用の手段の他実施例を示す概略説明平面図
【図１８】図１６の従区画用の手段の取り付けを示す概略説明平面図
【図１９】従区画用の手段の取り付けを示す概略説明平面図
【図２０】従区画用の手段の取り付けを示す概略説明平面図
【図２１】従区画用の手段の取り付けを示す概略説明平面図
【図２２】主区画用のロープ体に取り付けられた揺れ防止手段を示す概略説明平面図
【図２３】本願発明の屋内空間部用の区画体の吊り張り方法のフローチャート
【図２４】本願発明の屋内空間部用の区画体の吊り張り方法のフローチャート
【符号の説明】
【０１００】１−屋内空間部用の区画体、２−主区画用のロープ体、３−主吊張体、４−従吊張体、１０−固定用のロープ体
【図１】
2020093028.tif 000003
【図２】
2020093028.tif 000004
【図３】
2020093028.tif 000005
【図４】
2020093028.tif 000006
【図５】
2020093028.tif 000007
【図６】
2020093028.tif 000008
【図７】
2020093028.tif 000009
【図８】
2020093028.tif 000010
【図９】
2020093028.tif 000011
【図１０】
2020093028.tif 000012
【図１１】
2020093028.tif 000013
【図１２】
2020093028.tif 000014
【図１３】
2020093028.tif 000015
【図１４】
2020093028.tif 000016
【図１５】
2020093028.tif 000017
【図１６】
2020093028.tif 000018
【図１７】
2020093028.tif 000019
【図１８】
2020093028.tif 000020
【図１９】
2020093028.tif 000021
【図２０】
2020093028.tif 000022
【図２１】
2020093028.tif 000023
【図２２】
2020093028.tif 000024
【図２３】
2020093028.tif 000025
【図２４】
2020093028.tif 000026
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
屋内空間部を複数に区画することを目的とする屋内空間部用の区画体であって、前記区画体が少なくとも対向する側面側に沿って架け渡す複数本の主区画用のロープ体と、該各主区画用のロープ体の区画する範囲に取り付け空間部の一方向を間仕切りする１枚又は複数枚で形成された主吊張体と、該主吊張体と交差する方向に沿って前記任意の主区画用のロープ体間、又は前記任意の主区画用のロープ体と交差する方向に沿って架け渡す従区画用の手段を介して取り付け空間部の交差する他方向の区画する面積を調整して間仕切りする従吊張体とから構成されていることを特徴とする屋内空間部用の区画体。
【請求項２】
前記任意の主区画用のロープ体が従区画用の手段を介して予め複数本並設されていることを特徴とする請求項１に記載されている屋内空間部用の区画体。
【請求項３】
屋内空間部を所望の方向に複数に区画する屋内空間部用の区画体を用いた吊り張り方法であって、少なくとも一方向の対向する側面間に沿って主区画用のロープ体を区画する範囲に沿って複数本架け渡し、該各主区画用のロープ体に沿って区画する範囲に１枚又は複数枚で形成された主吊張体をそれぞれ取り付けて空間部の一方向を間仕切りした後、前記主吊張体と交差する方向に沿って複数枚の従吊張体を前記任意の主区画用のロープ体間、又は前記任意の主区画用のロープ体と交差する側面間に架け渡した従区画用の手段を介して取り付け空間部の交差する他方向の区画する面積を調整して間仕切りすることで、屋内空間部を複数個所に区画することを特徴とする屋内空間部用の区画体の吊り張り方法。
【手続補正２】
【補正対象書類名】明細書
【補正対象項目名】００１２
【補正方法】変更
【補正の内容】
【００１２】本願発明の上記課題を解決する手段としての屋内空間部用の区画体は、請求項１に記載のように、屋内空間部を複数に区画することを目的とする屋内空間部用の区画体であって、前記区画体が少なくとも対向する側面間に沿って架け渡す複数本の主区画用のロープ体と、該各主区画用のロープ体の区画する範囲に取り付け空間部の一方向を間仕切りする１枚又は複数枚で形成された主吊張体と、該主吊張体と交差する方向に沿って前記任意の主区画用のロープ体間、又は前記任意の主区画用のロープ体と交差する方向に沿って架け渡す従区画用の手段を介して取り付け空間部の交差する他方向の区画する面積を調整して間仕切りする従吊張体とから構成されていることを特徴とする。
【手続補正３】
【補正対象書類名】明細書
【補正対象項目名】００１３
【補正方法】変更
【補正の内容】
【００１３】また、上記課題を解決する手段としての屋内空間部用の区画体は、請求項２に記載のように、請求項１において、前記任意の主区画用のロープ体が従区画用の手段を介して予め複数本並設されていることを特徴とする。
【手続補正４】
【補正対象書類名】明細書
【補正対象項目名】００１４
【補正方法】変更
【補正の内容】
【００１４】さらに、本願発明の上記課題を解決する手段としての屋内空間部用の区画体の吊り張り方法は、請求項３に記載のように、屋内空間部を所望の方向に複数に区画する屋内空間部用の区画体を用いた吊り張り方法であって、少なくとも一方向の対向する側面間に沿って主区画用のロープ体を区画する範囲に沿って複数本架け渡し、該各主区画用のロープ体に沿って区画する範囲に１枚又は複数枚で形成された主吊張体をそれぞれ取り付けて空間部の一方向を間仕切りした後、前記主吊張体と交差する方向に沿って複数枚の従吊張体を前記任意の主区画用のロープ体間、又は前記任意の主区画用のロープ体と交差する方向に架け渡した従区画用の手段を介して取り付け空間部の交差する他方向の区画す面積を調整して間仕切りすることで、屋内空間部を複数箇所に区画することを特徴とする。
【手続補正５】
【補正対象書類名】明細書
【補正対象項目名】００１６
【補正方法】変更
【補正の内容】
【００１６】本願発明の請求項１に記載の屋内空間部用の区画体は、屋内空間部の少なくとも対向する側面間の区画する一方向の範囲に沿って所望の高さを有してそれぞれ水平方向に架け渡す複数本の主区画用のロープ体と、前記架け渡された主区画用のロープ体の区画する範囲に取り付け該主区画用のロープ体の下方側を壁として空間部の一方向を間仕切する１枚又は複数枚で形成された主吊張体と、前記主吊張体と交差する方向に沿って前記隣り合う主区画用のロープ体間、又は任意の主区画用のロープ体間、或いは前記任意の主区画用のロープ体と交差する方向に沿って架け渡す従区画用の手段を介して複数個所に取り付け前記主区画用のロープ体の交差する他方向の下方側を壁として間仕切りする従吊張体とから構成されている。
【手続補正６】
【補正対象書類名】明細書
【補正対象項目名】００２９
【補正方法】変更
【補正の内容】
【００２９】次に、本願発明の請求項３に記載の屋内空間部用の区画体の吊り張り方法は、先ず、少なくとも一方の側面間に沿って空間部の一方向の区画する範囲に複数本の主区画用のロープ体を所望の高さ（他人の視線を遮断できる高さ）、及び所望の幅を有して架け渡した後、前記主区画用のロープ体の下方側を間仕切りして壁として区画する範囲に主吊張体を直接又は間接的に取り付けるとともに、前記主吊張体と交差する方向で、前記隣り合う又は任意の主区画用のロープ体間、又は前記任意の主区画用のロープ体と交差する方向に沿って架け渡した従区画用の手段を介して直接又は間接的に従吊張体を取り付ける。